(57)【要約】【課題】次の礼拝者の納骨箱が出てくるまでの待機時間を短くするとともに、納骨箱を搬送する搬送装置を有効に活用する。【解決手段】礼拝窓４の納骨室３側に、回転軸１０を中心として回転可能なターンテーブル８を備える納骨箱出納装置Ａを設置する。ターンテーブル８の回転軸１０から等距離離れているとともに、回転軸１０から半径方向へスライド可能なトレーテーブル１８を、ターンテーブル８に複数個備える。前の礼拝者が礼拝中に、次の納骨箱５を取り出して搬送し、空いているトレーテーブル１８の上に載せておき、待機しておく。ターンテーブル８が回転することによってすばやく次の納骨箱５を礼拝窓４の背後に移動でき、搬送装置も待機時に自由となる。【選択図】図１
2008063878.tif 000002
【特許請求の範囲】
【請求項１】
複数個の納骨箱を、礼拝室と隣接した納骨室の納骨棚に収納しておき、
礼拝開始信号が入力されると、前記納骨棚から所望の納骨箱を自動的に取り出して搬送し、礼拝室に開口した礼拝窓に向けて載置し、
礼拝終了信号が入力されると、納骨箱を自動的に回収して搬送し、納骨棚に収納する納骨箱出納システムに使用する納骨箱出納装置であって、
回転軸を中心として水平に回転可能なターンテーブルの該回転軸から等距離離れているとともに、
回転軸側から半径方向へスライド可能なトレーテーブルを、
前記ターンテーブル上に複数個備えてなる納骨箱出納装置。
【請求項２】
礼拝窓は、礼拝室に向って複数開口されており、
ターンテーブルは、その礼拝窓の納骨室側にそれぞれひとつづつ配置されている
ことを特徴とする請求項１記載の納骨箱出納装置。
【請求項３】
トレーテーブルは、少なくとも９０度以上水平に回転可能になっていることを特徴とする請求項１又は２記載の納骨箱出納装置。
【発明の詳細な説明】
【技術分野】
【０００１】
本発明は、納骨箱を収めた棚から、礼拝窓まで自動的に搬送・回収する納骨箱出納システムにおいて、その納骨箱を礼拝窓に向けて配置する納骨箱出納装置に関するものである。
【背景技術】
【０００２】
納骨箱を納骨室の棚に収納しておき、その納骨室と隣り合った礼拝室には礼拝窓を開口しておき、礼拝室にて礼拝開始信号を入力すると、自動的に搬送システムが所望の納骨箱を取り出し、それを搬送して礼拝窓に向けて設置し、礼拝が終って礼拝終了信号を入力すると、また自動的に納骨箱を回収して棚に収納する納骨箱出納システムが存在する。
【０００３】
このような納骨箱出納システムにおいては、納骨箱を搬送するのには、細心の注意が必要である。納骨箱に収納されているのが遺骨であるため、搬送時に滑り落としたり、倒したりするのは厳禁であって、そのため搬送は極めてゆっくり行うことが要求される。
【０００４】
搬送時のスピードがゆっくりであるために、礼拝者が礼拝開始信号を入力してから、納骨箱を取り出して礼拝窓まで運んでくるまでの時間がかなり必要となる。つまりは、信号を入力してから礼拝窓まで運ばれてくる時間は待機時間となり、その時間は礼拝を行うことができない。
【０００５】
例えばお盆などのように礼拝者が多く訪れる時季には、個々の礼拝者の礼拝時間を短くして、より早く多くの礼拝者が礼拝できることが望ましいが、この納骨箱が運ばれてくるまでの時間が長いと、それだけ次の礼拝者が待たされることになってしまう。
【０００６】
このような課題を解決するために、礼拝者が礼拝している間に、搬送装置が次の納骨箱を取りに行き、納骨箱を持たせて待機させておくことが考えられる。しかしながら搬送装置に、納骨箱を持たせて待機させておくと、その間別の納骨箱を取りに行くという作動に入ることができない。すなわち、複数の礼拝窓が据えられて、礼拝者が別個の納骨箱を、別の礼拝窓にて礼拝可能にしたシステムにあっては、搬送装置に、そのうちのひとつの礼拝窓で待機させるという作動をさせると、別の礼拝窓への納骨箱の出納ができなくなってしまう。
【特許文献１】特開平９−５１８４７号公報
【特許文献２】特開平１１−１３３１４号公報
【特許文献３】特開平５−１１８１６７号公報
【発明の開示】
【発明が解決しようとする課題】
【０００７】
解決しようとする課題は、次の礼拝に必要な納骨箱を取りに行く時間が必要となって礼拝時間が多くかかることであり、また搬送装置に納骨箱の出納以外の作動をさせることで、複数の礼拝窓での礼拝に支障が生じることである。
【課題を解決するための手段】
【０００８】
本発明は、回転軸を中心として回転可能なターンテーブルの該回転軸から等距離離れているとともに、少なくとも９０度以上回転可能であるとともに、回転軸から半径方向へスライド可能なトレーテーブルを、前記ターンテーブル上に複数個備えているもので、礼拝中の納骨箱の他に、次の礼拝順の納骨箱を別のトレーテーブルの上に載せて待機させておくことを最も主要な特徴とする。
【発明の効果】
【０００９】
ターンテーブルに複数個のトレーテーブルが設けられており、次の礼拝順となる納骨箱を前の礼拝中に取り出しておき、そのトレーテーブルの上に載せて待機させておくことができる。従って、前の礼拝者が礼拝する間、搬送装置が別個の納骨箱を取りに行き、別のトレーテーブルの上に載せて待機させておくことが可能となり、次の礼拝者は搬送されてくる時間を待つ必要なく、礼拝までの時間が大幅に短縮され、スムーズな礼拝が可能となる。
【００１０】
ターンテーブルは回転可能であるため、前の礼拝が終了し、次の礼拝のためには、このターンテーブルが回転するだけで納骨箱を礼拝窓の背後まで移動でき、待ち時間はほとんど不要となる。
【００１１】
礼拝室に礼拝窓を複数開口し、それら礼拝窓の納骨室側にターンテーブルを各々設けることにより、複数の礼拝者が同時に礼拝可能となり、またそれぞれの礼拝窓における待ち時間も大幅に短縮される。
【００１２】
トレーテーブルはスライド可能であるとともに回転可能であり、礼拝窓に向って前進し、回転して納骨箱に記載された戒名や、或いは貼付された写真などを礼拝窓側に向けることができる。
【発明を実施するための最良の形態】
【００１３】
この発明では、礼拝窓の納骨室側に、回転可能なターンテーブルを配置し、このターンテーブルに、納骨箱を載せる複数個の小テーブルを備え、次の礼拝順の納骨箱を、小テーブルの上で待機させるものである。
【実施例１】
【００１４】
＜イ＞精霊堂
以下、本発明を実施するための最良の形態を、図面に基づいて詳細に説明する。図５に示すのは、本件発明の納骨箱出納装置Ａを配置した精霊堂Ｂの一部切欠き斜視図である。精霊堂Ｂ内部は仕切り壁１によって図面の手前側と奥に仕切られており、手前側の空間は礼拝室２として使用し、仕切り壁１の奥は、納骨室３として使用している。仕切り壁１には礼拝窓４が三つ開口されており、窓４の周りには祭壇様の装飾を施してある。また、礼拝窓４にはガラスが嵌め込まれており、ガラスを透して納骨室２内部側を見ることができる。
【００１５】
＜ロ＞納骨室
納骨室３の内部には、納骨箱５を配列して収納しておくための納骨棚６が設置してある。この棚６に、個々の遺骨を納めた納骨箱５に認証番号や暗証番号等を付してから、納骨箱５が配置してある。棚６から納骨箱５を取り出して礼拝窓４まで運搬し、礼拝が終ると元の棚の所定位置まで運び、再び収納するには、精霊堂Ｂで採用されている公知のクレーンや掴み装置、或いは走行装置が使用されており、本件では図示、及び説明を省略する。また、所望の納骨箱５の出納を指示するのは、システムとしてコンピューターによって無人管理されており、礼拝室２に礼拝者が入室する前、或いは礼拝室２内でカード等を使用して指示し、自動的に棚６から納骨箱５を取り出してくる。
【００１６】
＜ハ＞納骨箱出納装置
納骨箱出納装置Ａの実施例を図１~図４に示す。納骨室３内の礼拝窓４近傍に、各々納骨箱出納装置Ａが配置されている。納骨箱出納装置Ａは、台となるベースフレーム７と、そのベースフレーム７の上で回転するターンテーブル８と、から成っている。本発明では、ターンテーブル８は、二本のフレーム状のレール９・９によって構成されており、中間を回転軸１０によって支えて回転可能となっている。ベースフレーム７の一方側端には、ターンテーブル８と同じ高さの二本のレール１１・１１から成る固定フレーム１２が設置されている。
【００１７】
＜ニ＞スライドテーブル
レール９・１１には、それぞれ長手方向に溝形鋼状のガイド１３・１３が固定されている。このガイド１３・１３に両端にベアリングを取り付けたスライドテーブル１４が嵌合され、このガイド１３・１３に沿ってスライド可能となっている。スライドテーブル１４はその下面に突設した受け棒１７が、レール９・１１下に配置したメカニカルシリンダ１５のスライド板１６によって押され、レール９・１１に沿ってスライド可能である。つまりは、スライドテーブル１４は、ターンテーブル８から押されて前進し、固定フレーム１２のレール１１・１１上にまで至るようになっている。スライドテーブル１４は、スプリング１７・１７によって回転軸１０方向へ付勢されており、レール１１・１１上に位置しているときは、レール９・９方向へ引き寄せられる力が作用している。メカニカルシリンダ１５が逆方向に後退すると、スライドテーブル１４はスプリング１７・１７の力によってターンテーブル８側へ引き戻される。スライドテーブル１４は、ストッパ（図示せず）によって所定位置以上戻らないようになっている。
【００１８】
＜ホ＞トレーテーブル
前記したスライドテーブル１４の上に、トレーテーブル１８が回転可能に取り付けられている。トレーテーブル１８は、その回転軸の外周の一点においてスプリング１９によって付勢されている。トレーテーブル１８の下方には、ガイド棒２０が突設してある。ターンテーブル８がスライドテーブル１４とともに固定フレーム１２側に移動したとき、このガイド棒２０が固定フレーム１２のレール１１・１１間に位置しているガイド板２１に当たる。ガイド板２１は、ターンテーブル８側の角が円弧形状に形成されており、ガイド棒２０がガイド板２１の円弧状端面に当たって更に前進すると、円弧状端面によってガイドされて、固定フレーム１２に至ったとき９０度回転する。しかしながら、トレーテーブル１８はスプリング１９によって付勢されているため、スライドテーブル１４がターンテーブル８側に後退すると、そのトレーテーブル１８も逆回転して元に戻ることになる。
【００１９】
＜ヘ＞納骨箱取り出し作業
納骨箱５を棚６から取り出して、礼拝窓４まで搬送する作業につき説明する。礼拝者がカードなどを使用して、所望の納骨箱５を取り出してくるよう礼拝開始を信号として入力すると、搬送装置が起動して棚６から定められた場所に収納されているトレーの上に載った納骨箱５を取り出して、納骨箱出納装置Ａまで搬送してくる。そうしてターンテーブル８の棚６側に位置するトレーテーブル１８の上に納骨箱５を載せる。次にターンテーブル８がモーターの駆動によって１８０度回転して、固定フレーム１２のレール１１・１１とターンテーブル８のレール９・９が各々連続するようにする。ターンテーブル８の停止には、レール９若しくは１１のいずれか先端にセンサを取付けて、正確な位置で停止するようにしてもよい。この位置でメカニカルシリンダ１５が駆動して、スライド板１６が受け棒１７を押して、スライドテーブル１４を固定フレーム１２側へ前進させる。固定フレーム１２に至ると、ガイド棒２０がガイド板２１に当接して、トレーテーブル１８が９０度回転し、納骨箱５の写真や戒名５ａが礼拝窓４側に向けられる。礼拝窓４から覗いた納骨箱５に対して、礼拝者が礼拝可能となる。
【００２０】
＜ト＞待機作業
前の礼拝者が礼拝中に、次の礼拝者が礼拝開始信号を入力すると、搬送装置が駆動して、所望の納骨箱５を取り出しにいく。搬送してきた納骨箱５を、ターンテーブル８の棚６側に位置するトレーテーブル１８の上の載せる。前の礼拝者の礼拝が終らないうちは、この位置で納骨箱５は待機する。前の礼拝者が礼拝終了を信号として入力すると、メカニカルシリンダ１５のスライド板１６が後退して、スライド板１６がターンテーブル８側へ戻る。このときスライドテーブル１４は、スプリング１７・１７によって、ターンテーブル８側へ引き戻される。同時に、トレーテーブル１８がスプリング１９によって引き戻され、９０度回転する。次に、ターンテーブル８が１８０度回転して、次の礼拝順となる納骨箱５が、礼拝窓４の側へ移動する。メカニカルシリンダ１５の動きによって、スライドテーブル１４が礼拝窓４近くまで前進し、トレーテーブル１８が９０度逆回転するのは上記した作動と同じである。
【００２１】
＜チ＞回収作業
礼拝が終了して、ターンテーブル８が回転して、棚６側に戻ってきた納骨箱５を、搬送装置によって回収し、棚６の所定位置まで搬送する。
【００２２】
＜リ＞合同参拝
実施例では、礼拝室２には三つの礼拝窓４が設けられているが、この三つの礼拝窓４に参拝する納骨箱５をそれぞれ配設して、三つの納骨箱５に向かって合同参拝をすることが可能である。その参拝中に、次回分の納骨箱５をターンテーブル８の別のトレーテーブル１８まで納骨箱５を取り出しておく。その回の参拝が終了した後、ターンテーブル８を回転して、次回のトレーテーブル１８を、礼拝窓４側に移動させ、再び合同参拝を行う。その２回目の参拝中に、参拝が終了した納骨箱５を棚６に返却させ、その次（３回目）の納骨箱５取り出して待機させ、次の合同参拝の準備を行う。それ以降の参拝があれば、この作業を繰り返せばよい。
【００２３】
＜ヌ＞その他の実施例
図に示す実施例では、ターンテーブル８にふたつのトレーテーブル１８を備えたが、回転軸１０から等距離離れた位置に複数個のトレーテーブル１８を適宜角度づつ離れて配置してもよい。
【図面の簡単な説明】
【００２４】
【図１】納骨箱出納装置の平面図である。
【図２】納骨箱出納装置の側面図である。
【図３】納骨箱出納装置の一部斜視図である。
【図４】スライドテーブルとトレーテーブルの動きを示す平面図である。
【図５】精霊堂の斜視図である。
【図６】精霊堂の断面図である。
【符号の説明】
【００２５】
Ａ：納骨箱出納装置
Ｂ：精霊堂
１：仕切り壁
２：礼拝室
３：納骨室
４：礼拝窓
５：納骨箱
６：棚
７：ベースフレーム
８：ターンテーブル
９：レール
１０：回転軸
１１：レール
１２：固定フレーム
１３：ガイド
１４：スライドテーブル
１５：メカニカルシリンダ
１６：スライド板
１７：スプリング
１８：トレーテーブル
１９：スプリング
２０：ガイド棒
２１：ガイド板
【図１】
2008063878.tif 000003
【図２】
2008063878.tif 000004
【図３】
2008063878.tif 000005
【図４】
2008063878.tif 000006
【図５】
2008063878.tif 000007
【図６】
2008063878.tif 000008